(57)【特許請求の範囲】
【請求項１】
上面開口の円形凹部の内底面に、中央固定接点およびこれから等距離の点対称位置に電気的に独立して配された二つの周辺固定接点を備え、各固定接点と導通した接続用端子を外周側部に有する絶縁樹脂製のスイッチケースと、上記二つの周辺固定接点の中心間隔とほぼ同一の直径で上方に球面状に湾曲した円板部およびその外方に一定の間隔を空けて可撓性を有する細巾の連結部で同心円状に繋がれた円形リング部からなり、円板部の外周が上記周辺固定接点の上方に所定の間隔を空けて位置するように、円形リング部の外周がスイッチケースの円形凹部の内周に係合した弾性金属薄板製の可動接点と、スイッチケースの円形凹部の上面開口部を覆う弾性を有する絶縁フィルム製のシートからなるプッシュオンスイッチであって、上記可動接点が、その円板部の外周と円形リング部がほぼ同一面となるように、中心に対して等分位置に配された三つ以上の細巾の上記連結部で繋がれると共に、上記円形リング部の上記連結部を設けた位置の略中央位置から上記連結部と同数の突部が下方に突出して設けられているものとされ、上記スイッチケースの円形凹部の内底面上に上記突部が載せられて上記可動接点が配されたことを特徴とするプッシュオンスイッチ。
【請求項２】
上面開口の円形凹部の内底面に、中央固定接点およびこれから等距離の点対称位置に電気的に独立して配された二つの周辺固定接点を備え、各固定接点と導通した接続用端子を外周側部に有する絶縁樹脂製のスイッチケースと、上記二つの周辺固定接点の中心間隔とほぼ同一の直径で上方に球面状に湾曲した円板部およびその外方に一定の間隔を空けて可撓性を有する細巾の連結部で同心円状に繋がれた円形リング部からなり、円板部の外周が上記周辺固定接点の上方に所定の間隔を空けて位置するように、円形リング部の外周がスイッチケースの円形凹部の内周に係合した弾性金属薄板製の可動接点と、スイッチケースの円形凹部の上面開口部を覆う弾性を有する絶縁フィルム製のシートからなるプッシュオンスイッチであって、上記可動接点が、その円板部と円形リング部が、中心に対して対称位置に配され上記円板部側が少し高くなるように傾斜した二つの上記連結部で繋がれ、上記円形リング部が上記連結部と直角な二ヶ所の位置が頂点部となるように上方にＶ字状に湾曲し、上記二つの連結部と上記Ｖ字状湾曲の二つの頂点部の中間の位置から下方に突出した四つの突部が設けられたものとされ、上記スイッチケースの円形凹部の内底面上に上記突部が載せられて上記可動接点が配されたことを特徴とするプッシュオンスイッチ。
【発明の詳細な説明】
【０００１】
【発明の属する技術分野】
本発明は、主としてカメラ、ビデオカメラ等の各種電子機器の入力操作部に使用され、軽く押圧操作するとまず第一スイッチがオンし、更に強く押圧操作すると続いて第二スイッチがオンする二段動作のプッシュオンスイッチに関するものである。
【０００２】
【従来の技術】
従来のこの種のプッシュオンスイッチについて、図面を用いて説明する。
【０００３】
図２０は従来のプッシュオンスイッチの外観斜視図、図２１（ａ）は図２０のＸ−Ｘ線における断面図、同（ｂ）はＹ−Ｙ線における断面図であり、同図において、１は上方開口の凹部１Ａを備えた樹脂製のスイッチケースで、図２２の上面図に示すように、凹部１Ａの内底面には二つの周辺固定接点２およびこれよりも少し低い中央固定接点３が露出するようにインサート成形固定されると共に、各固定接点とそれぞれ導通した接続用端子２Ａ，２Ｂおよび３Ａが外周側部に突出して設けられている。
【０００４】
また、凹部１Ａの側壁には、対向した位置に一対の段状の可動接点受け部４およびそれと直交する位置に一対の切り欠き部５が設けられており、一方の可動接点受け部４Ａにはコモン用固定接点６が上面を露出するようにインサート成形固定され、その上面の位置は他方の可動接点受け部４Ｂと同一高さになるように設定されていると共に、この接点６と導通した接続用端子６Ａもスイッチケース１の外周側部に突出して設けられている。
【０００５】
そして、７は弾性薄板金属板をプレス加工することにより形成された可動接点で、その形状は図２３（ａ）の平面図および同（ｂ）の側面図に示すように、上方に球面状に湾曲した中央の円板部８と、この外方に一定の間隔を空けて同心状に配され、中心に対して対称位置に一対で設けられて円板部８側が高くなるように傾斜した連結部９で円板部８と繋がれると共に、連結部９と直角な対向した二ヶ所の位置が頂点部１０Ｂとなるように上方にＶ字状に湾曲した円形のリング状部１０および連結部９と同一直径上のリング状部１０から外方に突出するように設けた一対の突出部１１により構成されている。
【０００６】
そして、この可動接点７は、図２４のスイッチケース１内に可動接点７を装着した状態の上面図に示すように、湾曲突部側が上方となるようにして突出部１１が切り欠き部５に挿入されると共に、図２１（ｂ）に示すように、リング状部１０のＶ字曲げ部分の側部１０Ａが可動接点受け部４Ａ，４Ｂ上に載置されるようにスイッチケース１の凹部１Ａ内に装着されている。
【０００７】
すなわち、可動接点７のリング状部１０のＶ字曲げ部分の側部１０Ａの一方は、可動接点受け部４Ａ上に露出しているコモン用固定接点６と常に電気的に接続された状態になっている。
【０００８】
そして、可動接点７の上方には、弾性を有する絶縁フィルム製のシート１２が可動接点７のリング状部１０のＶ字の頂点部１０Ｂに支持されるように載置されていると共に、スイッチケース１の上面には、開口部１３Ａを有する金属板製のカバー１３が取り付けられている。
【０００９】
このように構成されたプッシュオンスイッチは、通常状態において、図２１（ｂ）に示すように、可動接点７がコモン用固定接点６のみに接触して周辺固定接点２および中央固定接点３に対して離れているため、スイッチはオフ状態になっている。
【００１０】
次に、上記のプッシュオンスイッチが使用機器に装着されて、押圧操作される時の動作について、図２５（ａ），（ｂ）および図２６（ａ），（ｂ）の断面図を用いて説明する。
【００１１】
なお、図２５（ａ）および図２６（ａ）は図２０のＸ−Ｘ線における断面図、図２５（ｂ）および図２６（ｂ）は同Ｙ−Ｙ線における断面図である。
【００１２】
まず、押圧操作体１４によりシート１２を介して可動接点７の円板部８を押圧操作し、その押圧力が所定の力を越えた時に、可動接点７は、図２５（ａ）および同（ｂ）に示すように、まず円板部８は球面状のままで連結部９の部分が節度を伴って下向き状態に反転して、二つの連結部９の円板部側根元部分９Ａが二つの周辺固定接点２にそれぞれ接触し、可動接点７を介してコモン用固定接点６と二つの周辺固定接点２の間すなわち接続用端子６Ａと２Ａおよび２Ｂの間を電気的に短絡導通させて、第一スイッチとしてオン状態となる。
【００１３】
そして、この状態から更に、押圧操作体１４により可動接点７の円板部８を押し下げると、図２６（ａ）および（ｂ）に示すように、今度は、円板部８が節度を伴いながら下膨らみ状態に反転し、円板部８の中心部８Ａが中央固定接点３に接触して、第一スイッチとして短絡したコモン用固定接点６および二つの周辺固定接点２に加えて中央固定接点３との間すなわち接続用端子６Ａおよび２Ａ，２Ｂに加えて３Ａの間を電気的に短絡導通させて、第二スイッチとしてオン状態になる。
【００１４】
この後、押圧操作体１４による可動接点７の円板部８への押圧力を解除すると、まず円板部８がその弾性復元力により上方突状の球面状態に復元することによって、その中心部８Ａが中央固定接点３から離れて第二スイッチがオフ状態に戻り、続いて連結部９が上方に傾斜した状態に戻ることにより円板部側根元部分９Ａが周辺固定接点２から離れて第一スイッチもオフ状態に戻るものであった。
【００１５】
【発明が解決しようとする課題】
しかしながら上記従来のプッシュオンスイッチにおいては、スイッチの組立工程においてスイッチケース１の円形凹部１Ａ内に可動接点７を装着する際に、可動接点７のリング状部１０から外方に突出した突出部１１を、スイッチケース１の凹部１Ａの側壁の切り欠き部５に挿入して装着する必要があるため、スイッチ組立の作業効率が悪いという課題があった。
【００１７】
本発明は、このような従来の課題を解決するものであり、可動接点の装着が簡単で効率良く組み立てることができる二段動作のプッシュオンスイッチを提供することを目的とする。
【００１８】
【課題を解決するための手段】
上記課題を解決するために本発明のプッシュオンスイッチは、上面開口の円形凹部の内底面に中央固定接点および電気的に独立した二個の周辺固定接点を備えるスイッチケース内に、上方に湾曲した内板部およびその外方に一定の間隔を空けて可撓性を有する細巾の連結部で同心円状に繋がれた円形リング部からなる可動接点を、その円板部の外周と円形リング部がほぼ同一面となるように、中心に対して等分位置に配された三つ以上の細巾の上記連結部で繋がれると共に、上記円形リング部の上記連結部を設けた位置の略中央位置から上記連結部と同数の突部が下方に突出して設けられているもの、もしくは、その円板部と円形リング部が、中心に対して対称位置に配され上記円板部側が少し高くなるように傾斜した二つの上記連結部で繋がれ、上記円形リング部が上記連結部と直角な二ヶ所の位置が頂点部となるように上方にＶ字状に湾曲し、上記二つの連結部と上記Ｖ字状湾曲の二つの頂点部の中間の位置から下方に突出した四つの突部が設けられたものとして、その突部を上記スイッチケースの円形凹部の内底面上に載せて、周辺固定接点の上方に円板部の外周が間隔を空けて位置するように配した構成とするものである。
【００１９】
これにより、スイッチの組立工程においてスイッチケースの円形凹部内に可動接点を装着する際に、可動接点の向きを決める必要が無いために組立作業性がよく、動作の安定した二段動作のプッシュオンスイッチを得ることができる。
【００２０】
【発明の実施の形態】
本発明の請求項１に記載の発明は、上面開口の円形凹部の内底面に、中央固定接点およびこれから等距離の点対称位置に電気的に独立して配された二つの周辺固定接点を備え、各固定接点と導通した接続用端子を外周側部に有する絶縁樹脂製のスイッチケースと、上記二つの周辺固定接点の中心間隔とほぼ同一の直径で上方に球面状に湾曲した円板部およびその外方に一定の間隔を空けて可撓性を有する細巾の連結部で同心円状に繋がれた円形リング部からなり、円板部の外周が上記周辺固定接点の上方に所定の間隔を空けて位置するように、円形リング部の外周がスイッチケースの円形凹部の内周に係合した弾性金属薄板製の可動接点と、スイッチケースの円形凹部の上面開口部を覆う弾性を有する絶縁フィルム製のシートからなるプッシュオンスイッチであって、上記可動接点が、その円板部の外周と円形リング部がほぼ同一面となるように、中心に対して等分位置に配された三つ以上の細巾の上記連結部で繋がれると共に、上記円形リング部の上記連結部を設けた位置の略中央位置から上記連結部と同数の突部が下方に突出して設けられているものとされ、上記スイッチケースの円形凹部の内底面上に上記突部が載せられて上記可動接点が配されたことを特徴とするプッシュオンスイッチとしたものであり、可動接点の円形リング部の外形が円形であるために、スイッチの組立工程においてスイッチケースの円形凹部内に可動接点を装着する際、可動接点の向きを決める必要が無いためにスイッチの組立作業性がよく、動作の安定した二段動作のプッシュオンスイッチを実現できるという作用を有する。
【００２４】
請求項２に記載の発明は、上面開口の円形凹部の内底面に、中央固定接点およびこれから等距離の点対称位置に電気的に独立して配された二つの周辺固定接点を備え、各固定接点と導通した接続用端子を外周側部に有する絶縁樹脂製のスイッチケースと、上記二つの周辺固定接点の中心間隔とほぼ同一の直径で上方に球面状に湾曲した円板部およびその外方に一定の間隔を空けて可撓性を有する細巾の連結部で同心円状に繋がれた円形リング部からなり、円板部の外周が上記周辺固定接点の上方に所定の間隔を空けて位置するように、円形リング部の外周がスイッチケースの円形凹部の内周に係合した弾性金属薄板製の可動接点と、スイッチケースの円形凹部の上面開口部を覆う弾性を有する絶縁フィルム製のシートからなるプッシュオンスイッチであって、上記可動接点が、その円板部と円形リング部が、中心に対して対称位置に配され上記円板部側が少し高くなるように傾斜した二つの上記連結部で繋がれ、上記円形リング部が上記連結部と直角な二ヶ所の位置が頂点部となるように上方にＶ字状に湾曲し、上記二つの連結部と上記Ｖ字状湾曲の二つの頂点部の中間の位置から下方に突出した四つの突部が設けられたものとされ、上記スイッチケースの円形凹部の内底面上に上記突部が載せられて上記可動接点が配されたことを特徴とするプッシュオンスイッチとしたものであり、可動接点の円形リング部の外形が円形であるために、スイッチの組立工程においてスイッチケースの円形凹部内に可動接点を装着する際、可動接点の向きを決める必要が無いためにスイッチの組立作業性がよく、動作の安定した二段動作のプッシュオンスイッチに実現でき、さらに当該構成であれば、第一スイッチの動作時および第二スイッチの動作時共に節度を有するものにできる上、その第一スイッチの動作時の節度がより明確なプッシュオンスイッチとして実現できるという作用を有する。
【００３０】
以下、本発明の実施の形態によるプッシュオンスイッチについて、図面を用いて説明する。
【００３１】
なお、従来の技術の項で説明した構成と同一構成の部分には同一符号を付して、詳細な説明を省略する。
【００３２】
（実施の形態１）
図１は本発明の第１の実施の形態によるプッシュオンスイッチの外観斜視図、図２（ａ）は図１のＸ−Ｘ線における断面図、同（ｂ）はＹ−Ｙ線における断面図であり、同図において、２１は上面開口の円形凹部２１Ａを備えた外形が四角形の樹脂製のスイッチケースで、図３の上面図に示すように、円形凹部２１Ａの内底面２１Ｂには中央固定接点２２およびこれから等距離の点対称位置の電気的に独立した二つの周辺固定接点２３Ａおよび２３Ｂが露出するようにインサート成形固定されており、更に、四角形の外形の対向した一組の外周側部には、中央固定接点２２と導通した二つの接続用端子２４Ａ，２４Ｂがスイッチケース２１の中心に対して対称な位置に一つずつ突出して設けられると共に、同じ一組の外周側部に、二つの周辺固定接点２３Ａおよび２３Ｂとそれぞれ導通した接続用端子２５Ａおよび２５Ｂが、スイッチケース２１中心に対して対称な位置に一つずつ突出して設けられている。
【００３３】
なお、上記の中央固定接点２２の高さは二つの周辺固定接点２３Ａおよび２３Ｂよりも少し低く設けられている。
【００３４】
また、２６は弾性金属薄板をプレス加工することにより形成された可動接点で、その形状は図４（ａ）の平面図および同（ｂ）の側面断面図に示すように、上方に球面状に湾曲した中央の円板部２７とこの外方に一定の間隔を空けて同心円状に配された円形リング部２８を繋ぐように少しの間隔を空けて並べられた可撓性を有する二つの細巾の連結部２９を、一つの直線３０に沿って折り曲げることによって円板部２７が上方に傾けられているものであり、円板部２７の外径は上記スイッチケース２１の二つの周辺固定接点２３Ａと２３Ｂの中心間隔とほぼ同一の直径となっていると共に、円形リング部２８の外周は上記スイッチケース２１の円形凹部２１Ａの内周に係合するように設定されている。
【００３５】
そして、このような可動接点２６をスイッチケース２１の円形凹部２１Ａ内に挿入し、図５のスイッチケース２１内に可動接点２６を装着した状態の上面図に示すように、円形リング部２８をスイッチケース２１の円形凹部２１Ａの内底面２１Ｂ上に載せることによって、円板部２７の外周が二つの周辺固定接点２３Ａ，２３Ｂの上方に所定の間隔を空けて位置するように配設され、この上方からスイッチケース２１の上面開口部を塞ぐように上面開口部よりも大きな外形で弾性を有する絶縁フィルム製のシート３１を被せると共に、その上方に開口部１３Ａを有する金属板製のカバー１３を取付け、シート３１の端部をスイッチケース２１上面に設けた突起部２１Ｃとの間に挟持させることによりプッシュスイッチとして完成する。
【００３６】
なお、上記の可動接点２６の円板部２７の外周と周辺固定接点２３Ａ，２３Ｂの関係は、可動接点２６の向きによって、図２（ａ）に示したように、一方の周辺固定接点２３Ａと円板部２７の外周との間隔は殆どゼロに近く、他の周辺固定接点２３Ｂと円板部２７の外周との間隔が最も大きい場合や、図６の断面図に示すように、二つの周辺固定接点２３Ａ，２３Ｂと円板部２７の外周との間隔が殆ど等しい場合等が考えられるが、いずれの場合においても、スイッチ・オフ時の接点ギャップとなる二つの周辺固定接点２３Ａおよび２３Ｂと円板部２７の外周との間隔寸法の合計は殆ど変わらないものである。
【００３７】
次に、上記のプッシュオンスイッチが使用機器に装着されて、押圧操作される時の動作について、図７および図８の断面図を用いて説明する。
【００３８】
まず、図２（ａ）の状態に対して、押圧操作体１４によりカバー１３の開口部１３Ａからシート３１を介して可動接点２６の円板部２７を押圧操作すると、図７に示すように円板部２７は球面状のままで、まず連結部２９の部分が曲がることによって、円板部２７は水平方向に向いてその外周が二つの周辺固定接点２３Ａおよび２３Ｂに接触し、この二つの周辺固定接点２３Ａと２３Ｂの間すなわち接続用端子２５Ａと２５Ｂの間を短絡導通させて、第一スイッチとしてオン状態となる。
【００３９】
そして、この状態から更に押圧操作体１４により可動接点２６の円板部２７を押し下げると、図８に示すように、今度は、円板部２７が節度を伴いながら下膨らみ状態に反転し、円板部２７の中心部２７Ａが中央固定接点２２に接触して、第一スイッチとして短絡した周辺固定接点２３Ａ，２３Ｂに加えて中央固定接点２２との間、すなわち接続用端子２５Ａと２５Ｂに２４Ａ，２４Ｂに加えた全接続用端子の間を電気的に短絡導通させて、第二スイッチとしてオン状態になる。
【００４０】
この後、押圧操作体１４による可動接点２６の円板部２７への押圧力を解除すると、まず円板部２７がその弾性復元力により上方突状の球面状態に復元することによって、その中心部２７Ａが中央固定接点２２から離れて第二スイッチがオフ状態の図７の状態に戻り、続いて連結部２９が元の上方に傾斜した状態に戻ることにより、円板部２７の外周が二つの周辺固定接点２３Ａ，２３Ｂの少なくとも一方から離れて図２（ａ）の第一スイッチもオフ状態に戻るものである。
【００４１】
以上のように本実施の形態によるプッシュオンスイッチは、可動接点２６の外形が円形であるため、スイッチ組立工程において、スイッチケース２１の円形凹部２１Ａ内に可動接点２６を装着する際に可動接点２６の向きを決める必要がないのでスイッチの組立作業性がよいものであり、また、スイッチ動作において、第一スイッチとしての動作時は軽い操作力で節度がなく、第二スイッチとしての動作時は節度を有するものであるが、可動接点２６の円板部２７の動きが安定していて、第二スイッチとしての動作時の節度が明確なものであると共に、スイッチ接点部等の防塵性が優れた信頼性の高いものである。
【００４２】
そして、接続用端子２４Ａ，２４Ｂおよび２５Ａ，２５Ｂが突出している位置が、スイッチケース２１の四角形の外形の対向した一組の外周側部で、スイッチケース２１の中心に対して対称であるため、本プッシュオンスイッチを使用機器の配線基板に装着する際に、スイッチの方向が１８０°逆になってもよいのでスイッチの装着作業性が優れていると共に、実装機で挟持して自動実装することも可能なものである。
【００４３】
なお、上記の四つの接続用端子２４Ａ，２４Ｂおよび２５Ａ，２５Ｂをスイッチケース２１の四角形の外形の対向した一組の外周側部のみに配することができない小形のスイッチ等の場合には、図９のスイッチケースの上面図に示すように、スイッチケース３２の四角形の外形の対向する二組の各辺に対して、一組の辺には中央固定接点３３と導通した二つの接続用端子３４Ａ，３４Ｂをそれぞれ設けると共に、他の一組の辺には二つの周辺固定接点３５Ａおよび３５Ｂとそれぞれ導通した二つの接続用端子３６Ａおよび３６Ｂを設けてもよいことは言うまでもない。
【００４４】
（実施の形態２）
本発明の第２の実施の形態によるプッシュオンスイッチは、実施の形態１の項で説明した図１の外観斜視図と同じ外観であり、同図に示すＸ−Ｘ線における断面図を図１０（ａ）に、同Ｙ−Ｙ線における断面図を図１０（ｂ）に示す。
【００４５】
同図で明らかなように、本実施の形態によるプッシュオンスイッチは、実施の形態１によるものに対して弾性金属薄板をプレス加工して形成された可動接点を変更したものである。
【００４６】
この可動接点３７の形状は、図１１（ａ）の平面図および同（ｂ）の側面断面図に示すように、上方に球面状に湾曲した中央の円板部３８とその外方に一定の間隔を空けて円板部３８の外周とほぼ同一面となるように同心円状に配された円形リング部３９を、中心に対して等分位置に配設された三つ以上の連結部４０Ａ，４０Ｂ，４０Ｃ，…で繋ぐと共に、円形リング部３９の連結部４０Ａ，４０Ｂ，４０Ｃ，…を設けた位置の略中央の位置から下方に連結部と同数の突部４１Ａ，４１Ｂ，４１Ｃ，…を折り曲げ形成したものであり、ここでは、細巾の連結部が４０Ａ，４０Ｂ，４０Ｃの三つで、下方への突部も同数の４１Ａ，４１Ｂ，４１Ｃの三つである場合について説明する。
【００４７】
そして、可動接点３７の上記円板部３８の外径は、スイッチケース２１の円形凹部２１Ａの内底面２１Ｂの二つの周辺固定接点２３Ａと２３Ｂの中心間隔とほぼ同一の直径となっていると共に、円形リング部３９の外周は円形凹部２１Ａの内周に係合するように設定されており、この可動接点３７をスイッチケース２１の円形凹部２１Ａ内に挿入し、図１２のスイッチケース内に可動接点３７を装着した状態の上面図に示すように、上記円形リング部３９から下方に突出した三つの突部４１Ａ，４１Ｂ，４１Ｃが円形凹部２１Ａの内底面２１Ｂ上に載ることによって、円板部３８の外周が二つの周辺固定接点２３Ａ，２３Ｂの上方に所定の間隔を空けて位置するように配設されるものであり、この上方からスイッチケース２１の上面開口部を塞ぐように上面開口部よりも大きな外形で弾性を有する絶縁フィルム製のシート３１を被せると共に、その上方に開口部１３Ａを有する金属板製のカバー１３を取付け、シート３１の端部をスイッチケース２１上面に設けた突起部２１Ｃとの間に挟持させることによりプッシュスイッチとして完成することは実施の形態１の場合と同様である。
【００４８】
次に、上記のプッシュオンスイッチが使用機器に装着されて、押圧操作される時の動作について説明すると、まず、図１０（ａ）の状態に対して、押圧操作体１４によりカバー１３の開口部１３Ａからシート３１を介して可動接点３７の円板部３８を押圧操作すると、図１３の断面図に示すように、円板部３８は球面状のままで、三つの連結部４０Ａ，４０Ｂ，４０Ｃおよび円形リング部３９の連結部を設けた部分である三つの突部４１Ａ，４１Ｂ，４１Ｃの略中央部分が引っ張られて水平方向から下方に撓むことによって、円板部３８はほぼ水平状態を保ちながら下方に下がり、その外周が周辺固定接点２３Ａおよび２３Ｂに接触し、この二つの周辺固定接点２３Ａと２３Ｂの間すなわち接続用端子２５Ａと２５Ｂの間を短絡導通させて、第一スイッチとしてオン状態となる。
【００４９】
そして、この状態から更に押圧操作体１４により可動接点３７の円板部３８を押し下げると、今度は、円板部３８が節度を伴いながら反転し、周辺固定接点２３Ａ，２３Ｂに加えて中央固定接点２２との間、すなわち接続用端子２５Ａと２５Ｂに２４Ａ，２４Ｂを加えた全端子の間を電気的に短絡導通させて、第二スイッチとしてオン状態になり、この後、押圧操作体１４による押圧力を解除すると、まず第二スイッチがオフ状態の図１３の状態に戻ることは実施の形態１の場合と同様であり、続いて三つの連結部４０Ａ，４０Ｂ，４０Ｃおよび円形リング部３９の下方に撓んでいた部分が元の水平状態に戻ることにより、円板部３８の外周が二つの周辺固定接点２３Ａ，２３Ｂから離れて図１１（ａ）の第一スイッチもオフ状態に戻るものである。
【００５０】
以上のように本実施の形態によるプッシュオンスイッチは、前記の実施の形態１によるものと同様に、第一スイッチとしての動作時は節度がなく、第二スイッチとしての動作時には節度を有するものであるが、可動接点３７の高さすなわちスイッチ・オフ時の接点ギャップの変動が少なく、スイッチ動作が安定しているものである。
【００５１】
なお、上記の可動接点３７の円板部３８と外方の円形リング部３９を繋ぐ連結部４０Ａ，４０Ｂ，…および円形リング部３９の下方の突部４１Ａ，４１Ｂ，…の数は、三つまたは四つとするのが一般的であるが、大形のスイッチ等で可動接点３７の外径が大きい場合には、この数を六つまたは八つ等としてもよいことは勿論である。
【００５２】
（実施の形態３）
本発明の第３の実施の形態によるプッシュオンスイッチも、実施の形態１の項で説明した図１の外観斜視図と同じ外観であり、同図に示すＸ−Ｘ線における断面図を図１４（ａ）に、同Ｙ−Ｙ線における断面図を図１４（ｂ）に示す。
【００５３】
同図で明らかなように、本実施の形態によるプッシュオンスイッチは、実施の形態１によるものに対して固定接点を設けたスイッチケースおよびスイッチケース内に装着する可動接点を変更したものである。
【００５４】
すなわち、スイッチケース４２は、上面開口の円形凹部４２Ａを備えた外形が四角形の樹脂製で、円形凹部４２Ａの内底面４２Ｂに中央固定接点２２およびこれから等距離の点対称位置の電気的に独立した二つの周辺固定接点２３Ａおよび２３Ｂが露出するようにインサート成形固定されており、更に、四角形の外形の対向した一組の外周側部には、中央固定接点２２と導通した二つの接続用端子２４Ａ，２４Ｂがスイッチケース２１の中心に対して対称な位置に一つずつ突出して設けられると共に、同じ一組の外周側部に、二つの周辺固定接点２３Ａおよび２３Ｂとそれぞれ導通した接続用端子２５Ａおよび２５Ｂが、スイッチケース２１中心に対して対称な位置に一つずつ突出して設けられていることは、前記の実施の形態１の場合と同じであるが、スイッチケース４２の円形凹部４２Ａの内周全体に亘って周辺固定接点２３Ａ，２３Ｂよりも高い段部４２Ｃが設けられている。
【００５５】
また、弾性金属薄板をプレス加工して形成された可動接点４３は、図１５（ａ）の平面図および同（ｂ）の側面断面図に示すように、上方に球面状に湾曲した中央の円板部４４と、この外方に一定の間隔を空けて同心状に配され、中心に対して対称位置に一対で設けられて円板部４４側が高くなるように傾斜した連結部４５で円板部４４と繋がれると共に、連結部４５と直角な対向した二ヶ所の位置が頂点部４６Ｂとなるように上方にＶ字状に湾曲した円形のリング部４６により構成され、円板部４４の外径は、スイッチケース４２の円形凹部４２Ａの内底面４２Ｂの二つの周辺固定接点２３Ａと２３Ｂの中心間隔とほぼ同一の直径となっていると共に、円形リング部４６の外周は円形凹部４２Ａの内周に係合するように設定されている。
【００５６】
そして、このような可動接点４３をスイッチケース４２の円形凹部４２Ａ内に挿入して円形リング部４６を円形凹部４２Ａ内周の段部４２Ｃ上に載せることによって、円板部４４の外周が二つの周辺固定接点２３Ａ，２３Ｂの上方に所定の間隔を空けて位置するように配設されるものであり、この上方からスイッチケース４２の上面開口部を塞ぐように上面開口部よりも大きな外形で弾性を有する絶縁フィルム製のシート３１を被せると共に、その上方に開口部１３Ａを有する金属板製のカバー１３を取付け、シート３１の端部をスイッチケース４２上面に設けた突起部４２Ｄとの間に挟持させることによりプッシュスイッチとして完成することは実施の形態１の場合と同様である。
【００５７】
次に、上記のプッシュオンスイッチが使用機器に装着されて、押圧操作される時の動作について説明すると、まず、図１４（ａ）の状態に対して、押圧操作体１４によりカバー１３の開口部１３Ａからシート３１を介して可動接点４３の円板部４４を押圧操作すると、図１６の断面図に示すように、円板部４４は球面状のままで、連結部４５の部分が軽い節度を伴って下向き状態に反転して円板部４４が下方に下がり、その外周が周辺固定接点２３Ａおよび２３Ｂに接触し、この二つの周辺固定接点２３Ａと２３Ｂの間すなわち接続用端子２５Ａと２５Ｂの間を短絡導通させて、第一スイッチとしてオン状態となる。
【００５８】
そして、この状態から更に押圧操作体１４により可動接点４３の円板部４４を押し下げると、今度は、円板部４４が節度を伴いながら反転し、第二スイッチとしてオン状態になり、この後、押圧操作体１４による押圧力を解除すると、まず第二スイッチがオフ状態の図１６の状態に戻ることは実施の形態１の場合と同様であり、続いて連結部４５が上方に傾斜した状態に戻ることにより、円板部４４の外周が二つの周辺固定接点２３Ａ，２３Ｂから離れて図１４（ａ）の第一スイッチもオフ状態に戻るものである。
【００５９】
以上のように本実施の形態によるプッシュオンスイッチは、第１スイッチの動作時および第二スイッチの動作時共に節度を有するプッシュオンスイッチを実現できると共に、スイッチ・オフ状態における可動接点と固定接点の間のギャップが大きくて安定しているので、スイッチが誤動作し難いものである。
【００６０】
（実施の形態４）
本発明の第４の実施の形態によるプッシュオンスイッチも、実施の形態１の項で説明した図１の外観斜視図と同じ外観であり、同図に示すＸ−Ｘ線における断面図を図１７（ａ）に、同Ｙ−Ｙ線における断面図を図１７（ｂ）に示す。
【００６１】
同図で明らかなように、本実施の形態によるプッシュオンスイッチは、実施の形態１によるものに対して弾性金属薄板をプレス加工して形成された可動接点を変更したものである。
【００６２】
この可動接点４７の形状は、図１８（ａ）の平面図および同（ｂ）の側面断面図に示すように、上方に球面状に湾曲した中央の円板部４８と、この外方に一定の間隔を空けて同心状に配され、中心に対して対称位置に一対で設けられて円板部４８側が高くなるように傾斜した連結部４９で円板部４８と繋がれると共に、連結部４９と直角な対向した二ヶ所の位置が頂点部５０Ｂとなるように上方にＶ字状に湾曲した円形のリング部５０により構成され、円形リング部５０の二つの連結部４９とＶ字状湾曲の二つの頂点部５０Ｂの中間の位置から四つの突部５１Ａ，５１Ｂ，５１Ｃ，５１Ｄが下方に突出しているものであり、円板部４８の外径は、スイッチケース２１の円形凹部２１Ａの内底面２１Ｂの二つの周辺固定接点２３Ａ，２３Ｂの中心間隔とほぼ同一の直径となっていると共に、円形リング部５０の外周は円形凹部４２Ａの内周に係合するように設定されている。
【００６３】
そして、このような可動接点４７をスイッチケース２１の円形凹部２１Ａ内に挿入し、円形リング部５０の下方に突出した四つの突部５１Ａ，５１Ｂ，５１Ｃ，５１Ｄをスイッチケース２１の円形凹部２１Ａの内底面２１Ｂ上に載せることによって、円板部４８の外周が二つの周辺固定接点２３Ａ，２３Ｂの上方に所定の間隔を空けて位置するように配設され、この上方からスイッチケース２１の上面開口部を塞ぐように上面開口部よりも大きな外形で弾性を有する絶縁フィルム製のシート３１を被せると共に、その上方に開口部１３Ａを有する金属板製のカバー１３を取付け、シート３１の端部をスイッチケース２１上面に設けた突起部２１Ｃとの間に挟持させることによりプッシュスイッチとして完成することは実施の形態１の場合と同様である。
【００６４】
次に、上記のプッシュオンスイッチが使用機器に装着されて、押圧操作される時の動作について説明すると、まず、図１７（ａ）の状態に対して、押圧操作体１４によりカバー１３の開口部１３Ａからシート３１を介して可動接点４７の円板部４８を押圧操作すると、図１９の断面図に示すように、円板部４８は球面状のままで、円形リング部５０の下面の四つの突部５１Ａ，５１Ｂ，５１Ｃ，５１Ｄを支点として円形リング部５０との連結部４９の部分が明確な節度を伴いながら下向き状態に反転して円板部４８が下方に下がり、その外周が周辺固定接点２３Ａおよび２３Ｂに接触し、この二つの周辺固定接点２３Ａと２３Ｂの間すなわち接続用端子２５Ａと２５Ｂの間を短絡導通させて、第一スイッチとしてオン状態となる。
【００６５】
そして、この状態から更に押圧操作体１４により可動接点４７の円板部４８を押し下げると、今度は、円板部４８が節度を伴いながら反転し、第二スイッチとしてオン状態になり、この後、押圧操作体１４による押圧力を解除すると、まず第二スイッチがオフ状態の図１９の状態に戻ることは実施の形態１の場合と同様であり、続いて連結部４９が節度を伴いながら上方に傾斜した状態に戻ることにより、円板部４８の外周が二つの周辺固定接点２３Ａ，２３Ｂから離れて図１７（ａ）の第一スイッチもオフ状態に戻るものである。
【００６６】
以上のように本実施の形態によるプッシュオンスイッチは、第１スイッチの動作時および第二スイッチの動作時共に、明確な節度を有するプッシュオンスイッチを実現できるものである。
【００６７】
なお、上記の説明においては、スイッチケース２１の形状は、実施の形態１の場合と同様の円形凹部２１Ａの内周に段部を有しないものとしたが、これを上記の実施の形態３で説明したスイッチケース４２のように、円形凹部４２Ａの内周全体に亘って段部４２Ｃを設けた形状とし、可動接点４７をこの段部４２Ｃ上に載せることによって、スイッチ・オフ状態における可動接点と固定接点の間のギャップを大きく安定したものとできることは勿論である。
【００６８】
【発明の効果】
以上のように本発明によれば、スイッチの組立工程においてスイッチケースの円形凹部内に可動接点を装着する際に、可動接点の向きを決める必要がないので組立作業効率が良く、しかも動作の安定した二段動作のプッシュオンスイッチを提供することができるという有利な効果が得られる。
【図面の簡単な説明】
【図１】本発明の第１の実施の形態によるプッシュオンスイッチの外観斜視図
【図２】（ａ）同図１のＸ−Ｘ線における断面図
（ｂ）同Ｙ−Ｙ線における断面図
【図３】同スイッチケースの上面図
【図４】（ａ）同可動接点の平面図
（ｂ）同側面断面図
【図５】同スイッチケース内に可動接点を装着した状態の平面図
【図６】同スイッチケース内に可動接点を向きを変えて装着した場合の図１のＸ−Ｘ線における断面図
【図７】同第一スイッチの動作状態を説明する図１のＸ−Ｘ線における断面図
【図８】同第二スイッチの動作状態を説明する図１のＸ−Ｘ線における断面図
【図９】同スイッチケースの接続用端子の位置を変えた場合の上面図
【図１０】（ａ）本発明の第２の実施の形態によるプッシュオンスイッチの図１のＸ−Ｘ線における断面図
（ｂ）同Ｙ−Ｙ線における断面図
【図１１】（ａ）同可動接点の平面図
（ｂ）同側面断面図
【図１２】同スイッチケース内に可動接点を装着した状態の平面図
【図１３】同第一スイッチの動作状態を説明する図１のＸ−Ｘ線における断面図
【図１４】（ａ）本発明の第３の実施の形態によるプッシュオンスイッチの図１のＸ−Ｘ線における断面図
（ｂ）同Ｙ−Ｙ線における断面図
【図１５】（ａ）同可動接点の平面図
（ｂ）同側面断面図
【図１６】同第一スイッチの動作状態を説明する図１のＸ−Ｘ線における断面図
【図１７】（ａ）本発明の第４の実施の形態によるプッシュオンスイッチの図１のＸ−Ｘ線における断面図
（ｂ）同Ｙ−Ｙ線における断面図
【図１８】（ａ）同可動接点の平面図
（ｂ）同側面断面図
【図１９】同第一スイッチの動作状態を説明する図１のＸ−Ｘ線における断面図
【図２０】従来のプッシュオンスイッチの外観斜視図
【図２１】（ａ）同図２０のＸ−Ｘ線における断面図
（ｂ）同Ｙ−Ｙ線における断面図
【図２２】同スイッチケースの上面図
【図２３】（ａ）同可動接点の平面図
（ｂ）同側面図
【図２４】同スイッチケース内に可動接点を装着した状態の平面図
【図２５】（ａ）同第一スイッチの動作状態を説明する図２３のＸ−Ｘ線における断面図
（ｂ）同Ｙ−Ｙ線における断面図
【図２６】（ａ）同第二スイッチの動作状態を説明する図２３のＸ−Ｘ線における断面図
（ｂ）同Ｙ−Ｙ線における断面図
【符号の説明】
１３  カバー
１３Ａ  開口部
１４  押圧操作体
２１，３２，４２  スイッチケース
２１Ａ，４２Ａ  円形凹部
２１Ｂ，４２Ｂ  内底面
２１Ｃ，４２Ｄ  突起部
２２，３３  中央固定接点
２３Ａ，２３Ｂ，３５Ａ，３５Ｂ  周辺固定接点
２４Ａ，２４Ｂ，２５Ａ，２５Ｂ，３４Ａ，３４Ｂ，３６Ａ，３６Ｂ  接続用端子
２６，３７，４３，４７  可動接点
２７，３８，４４，４８  円板部
２７Ａ  中心部
２８，３９，４６，５０  円形リング部
２９，４０Ａ，４０Ｂ，４０Ｃ…，４５，４９  連結部
３０  直線
３１  シート
４１Ａ，４１Ｂ，４１Ｃ…，５１Ａ，５１Ｂ，５１Ｃ，５１Ｄ  突部
４２Ｃ  段部
４６Ｂ，５０Ｂ  頂点部
【図１】
0004026211.tif 000002
【図２】
0004026211.tif 000003
【図３】
0004026211.tif 000004
【図４】
0004026211.tif 000005
【図５】
0004026211.tif 000006
【図６】
0004026211.tif 000007
【図７】
0004026211.tif 000008
【図８】
0004026211.tif 000009
【図９】
0004026211.tif 000010
【図１０】
0004026211.tif 000011
【図１１】
0004026211.tif 000012
【図１２】
0004026211.tif 000013
【図１３】
0004026211.tif 000014
【図１４】
0004026211.tif 000015
【図１５】
0004026211.tif 000016
【図１６】
0004026211.tif 000017
【図１７】
0004026211.tif 000018
【図１８】
0004026211.tif 000019
【図１９】
0004026211.tif 000020
【図２０】
0004026211.tif 000021
【図２１】
0004026211.tif 000022
【図２２】
0004026211.tif 000023
【図２３】
0004026211.tif 000024
【図２４】
0004026211.tif 000025
【図２５】
0004026211.tif 000026
【図２６】
0004026211.tif 000027